(57)【要約】【課題】受信信号を高精度に受信することが可能なフロントエンド回路を提供する。【解決手段】フロントエンド回路１は、プライマリ回路１Ｐとダイバーシティ回路１Ｄとを備え、プライマリ回路１Ｐは、バンドＡの信号を伝送する伝送経路５１とバンドＢの信号を伝送する伝送経路５２とを有し、伝送経路５２ではバンドＢの送信信号と受信信号とがＴＤＤ方式で実行され、ダイバーシティ回路１Ｄは、スイッチ２０とバンドＡの信号を受信する受信経路５３とバンドＢの信号を受信する受信経路５４とを有し、スイッチ２０は、プライマリ回路１ＰにおいてバンドＡの受信信号とバンドＢの受信信号とが同時伝送されている場合、および、バンドＡの受信信号とバンドＢの送信信号とが同時伝送されている場合の双方において、ダイバーシティアンテナ２Ｄと受信経路５３とを導通状態とし、かつ、ダイバーシティアンテナ２Ｄと受信経路５４とを導通状態とする。【選択図】図１
2020188337.tif 000002
【特許請求の範囲】
【請求項１】
少なくとも第１通信バンドの高周波信号および第２通信バンドの高周波信号を同時に伝送することが可能なプライマリ回路と、
前記プライマリ回路における前記第１通信バンドの高周波信号の受信に対応して前記第１通信バンドの高周波信号を受信し、前記プライマリ回路における前記第２通信バンドの高周波信号の受信に対応して前記第２通信バンドの高周波信号を受信するダイバーシティ回路と、を備え、
前記プライマリ回路は、
第１入出力端子、第１受信端子、第２受信端子および第２送信端子と、
前記第１入出力端子と前記第１受信端子とを結ぶ経路であって、前記第１通信バンドの高周波信号を伝送する第１伝送経路と、
前記第１入出力端子と前記第２受信端子および前記第２送信端子とを結ぶ経路であって、前記第２通信バンドの高周波信号を伝送する第２伝送経路と、を有し、
前記第２伝送経路では、前記第１入出力端子から前記第２受信端子に向けて流れる前記第２通信バンドの高周波信号の受信と、前記第２送信端子から前記第１入出力端子に向けて流れる前記第２通信バンドの高周波信号の送信とが時分割複信方式で実行され、
前記ダイバーシティ回路は、
第１入力端子、第３受信端子および第４受信端子と、
第１選択端子、第２選択端子、および前記第１入力端子に接続された第１共通端子を有し、前記第１共通端子と前記第１選択端子との導通および非導通、ならびに、前記第１共通端子と前記第２選択端子との導通および非導通を切り替える第１スイッチと、
前記第１選択端子および前記第３受信端子に接続され、前記第１入力端子から前記第１選択端子を経由して前記第３受信端子に向けて前記第１通信バンドの高周波信号を受信する第１受信経路と、
前記第２選択端子および前記第４受信端子に接続され、前記第１入力端子から前記第２選択端子を経由して前記第４受信端子に向けて前記第２通信バンドの高周波信号を受信する第２受信経路と、を有し、
前記第１スイッチは、
前記プライマリ回路において前記第１伝送経路における前記第１通信バンドの高周波信号の受信と前記第２伝送経路における前記第２通信バンドの高周波信号の受信とが同時に実行されている場合、前記第１共通端子と前記第１選択端子とを導通状態とし、かつ、前記第１共通端子と前記第２選択端子とを導通状態とし、
前記プライマリ回路において前記第１伝送経路における前記第１通信バンドの高周波信号の受信と前記第２伝送経路における前記第２通信バンドの高周波信号の送信とが同時に実行されている場合、前記第１共通端子と前記第１選択端子とを導通状態とし、かつ、前記第１共通端子と前記第２選択端子とを導通状態とする、
フロントエンド回路。
【請求項２】
前記ダイバーシティ回路は、さらに、
前記第１受信経路上に配置され、前記第１入力端子から入力された前記第１通信バンドの高周波信号を増幅して前記第３受信端子へ出力する第１低雑音増幅器と、
前記第２受信経路上に配置され、前記第１入力端子から入力された前記第２通信バンドの高周波信号を増幅して前記第４受信端子へ出力する第２低雑音増幅器と、を有し、
前記プライマリ回路において前記第１伝送経路における前記第１通信バンドの高周波信号の受信と前記第２伝送経路における前記第２通信バンドの高周波信号の受信とが同時に実行されている場合、前記第１低雑音増幅器および前記第２低雑音増幅器は、増幅動作状態であり、
前記プライマリ回路において前記第１伝送経路における前記第１通信バンドの高周波信号の受信と前記第２伝送経路における前記第２通信バンドの高周波信号の送信とが同時に実行されている場合、前記第１低雑音増幅器は増幅動作状態であり、前記第２低雑音増幅器は増幅停止状態である、
請求項１に記載のフロントエンド回路。
【請求項３】
前記ダイバーシティ回路は、さらに、
前記第１選択端子と前記第１低雑音増幅器の入力端との間に接続され、前記第１通信バンドを通過帯域とする第１受信フィルタと、
前記第２選択端子と前記第２低雑音増幅器の入力端との間に接続され、前記第２通信バンドを通過帯域とする第２受信フィルタと、を有する、
請求項２に記載のフロントエンド回路。
【請求項４】
前記プライマリ回路は、さらに、
第２共通端子、第３選択端子および第４選択端子を有し、前記第２共通端子と前記第３選択端子との導通および非導通、ならびに、前記第２共通端子と前記第４選択端子との導通および非導通を切り替える第２スイッチを有し、
前記第２共通端子は、前記第１入出力端子に接続され、
前記第３選択端子は、前記第１伝送経路の一端に接続され、
前記第４選択端子は、前記第２伝送経路の一端に接続されている、
請求項１〜３のいずれか１項に記載のフロントエンド回路。
【請求項５】
前記プライマリ回路は、さらに、
第３共通端子、第５選択端子および第６選択端子を有し、前記第３共通端子と前記第５選択端子との導通、および、前記第３共通端子と前記第６選択端子との導通を排他的に切り替える第３スイッチと、
前記第４選択端子と前記第３共通端子との間に接続され、前記第２通信バンドを通過帯域とする第１送受信フィルタと、
前記第２送信端子と前記第５選択端子との間に接続され、前記第２通信バンドの高周波信号を増幅する第３電力増幅器と、
前記第６選択端子と前記第２受信端子との間に接続され、前記第２通信バンドの高周波信号を増幅する第３低雑音増幅器と、を有する、
請求項４に記載のフロントエンド回路。
【請求項６】
前記プライマリ回路は、さらに、
前記第１通信バンドの送信帯域を通過帯域とする第３送信フィルタと、
前記第１通信バンドの受信帯域を通過帯域とする第３受信フィルタと、
前記第３送信フィルタの入力端に接続され、前記第１通信バンドの高周波信号を増幅する第４電力増幅器と、
前記第１受信端子と前記第３受信フィルタの出力端との間に接続され、前記第１通信バンドの高周波信号を増幅する第４低雑音増幅器と、を有し、
前記第３送信フィルタの出力端と前記第３受信フィルタの入力端とは、前記第３選択端子に接続されている、
請求項４または５に記載のフロントエンド回路。
【請求項７】
前記第１通信バンドは、ＬＴＥ（Ｌｏｎｇ  Ｔｅｒｍ  Ｅｖｏｌｕｔｉｏｎ）のバンド１であり、
前記第２通信バンドは、ＬＴＥのバンド４０である、
請求項１〜６のいずれか１項に記載のフロントエンド回路。
【請求項８】
少なくとも第１通信バンドの高周波信号および第２通信バンドの高周波信号を伝送することが可能なプライマリ回路における前記第１通信バンドの高周波信号の受信に対応して前記第１通信バンドの高周波信号を受信し、前記プライマリ回路における前記第２通信バンドの高周波信号の受信に対応して前記第２通信バンドの高周波信号を受信するダイバーシティ回路であって、
第１入力端子、第３受信端子および第４受信端子と、
第１選択端子、第２選択端子、および前記第１入力端子に接続された第１共通端子を有し、前記第１共通端子と前記第１選択端子との導通および非導通、ならびに、前記第１共通端子と前記第２選択端子との導通および非導通を切り替える第１スイッチと、
前記第１選択端子および前記第３受信端子に接続され、前記第１入力端子から前記第１選択端子を経由して前記第３受信端子に向けて前記第１通信バンドの高周波信号を受信する第１受信経路と、
前記第２選択端子および前記第４受信端子に接続され、前記第１入力端子から前記第２選択端子を経由して前記第４受信端子に向けて前記第２通信バンドの高周波信号を受信する第２受信経路と、を有し、
前記第１スイッチは、
前記プライマリ回路において前記第１通信バンドの高周波信号の受信と前記第２通信バンドの高周波信号の受信とが同時に実行されている場合、前記第１共通端子と前記第１選択端子とを導通状態とし、かつ、前記第１共通端子と前記第２選択端子とを導通状態とし、
前記プライマリ回路において前記第１通信バンドの高周波信号の受信と前記第２通信バンドの高周波信号の送信とが同時に実行されている場合、前記第１共通端子と前記第１選択端子とを導通状態とし、かつ、前記第１共通端子と前記第２選択端子とを導通状態とする、
ダイバーシティ回路。
【請求項９】
アンテナ回路で送受信される高周波信号を処理するＲＦ信号処理回路と、
前記アンテナ回路と前記ＲＦ信号処理回路との間で前記高周波信号を伝送する請求項１〜７のいずれか１項に記載のフロントエンド回路または請求項８に記載のダイバーシティ回路と、を備える、
通信装置。
【請求項１０】
アンテナ回路で送受信される高周波信号を処理するＲＦ信号処理回路と、
前記アンテナ回路と前記ＲＦ信号処理回路との間で前記高周波信号を伝送する請求項１〜７のいずれか１項に記載のフロントエンド回路と、を備え、
前記アンテナ回路は、
前記第１入出力端子に接続されたプライマリアンテナと、
前記第１入力端子に接続されたダイバーシティアンテナと、を有する、
通信装置。
【発明の詳細な説明】
【技術分野】
【０００１】
本発明は、高周波信号を処理するフロントエンド回路、ダイバーシティ回路および通信装置に関する。
【背景技術】
【０００２】
複数の通信バンドの高周波信号を同時に伝送することが可能なフロントエンド回路が求められている。
【０００３】
特許文献１には、第１のアンテナに接続された第１のアンテナインターフェース回路と第２のアンテナに接続された第２のアンテナインターフェース回路とを備える装置の回路構成が開示されている。第１および第２のアンテナインターフェース回路のそれぞれは、各通信バンドの高周波信号を伝送するための複数の信号経路がスイッチに共通接続された構成を有している。この構成によれば、第１および第２のアンテナインターフェース回路のそれぞれにおいて、複数の通信バンドの高周波信号を同時に伝送することができるので、上記装置は、例えば２アップリンク２ダウンリンクを実行することが可能となる。
【先行技術文献】
【特許文献】
【０００４】
【特許文献１】特表２０１６−５０１４６７号公報
【発明の概要】
【発明が解決しようとする課題】
【０００５】
上記特許文献１に記載された装置において、例えば、第１のアンテナインターフェース回路をプライマリ回路に適用し、第２のアンテナインターフェース回路をダイバーシティ回路に適用することが可能である。この場合、第１のアンテナインターフェース回路にてアクティブとなっている受信経路に対応させて、第２のアンテナインターフェース回路では、スイッチによりアクティブとする受信経路が選択される。
【０００６】
しかしながら、第１のアンテナインターフェース回路が時分割複信方式により送信および受信を実行する信号経路を含む場合、当該信号経路における送信モードおよび受信モードの切り替えに応じて、第２のアンテナインターフェース回路におけるスイッチの接続状況が変化する。この変化により、第２のアンテナインターフェース回路でアクティブな信号経路を伝送する信号の位相が変化し、例えば、ＥＶＭなどの劣化を引き起こしてしまう。このため、第２のアンテナインターフェース回路を含む端末装置がデータを正確に受信できない状態に陥りうる場合がある。
【０００７】
そこで、本発明は、上記課題を解決するためになされたものであって、複数の通信バンドの高周波信号を同時に伝送することが可能なシステムにおいて、受信信号を高精度に受信することが可能なフロントエンド回路、ダイバーシティ回路および通信装置を提供することを目的とする。
【課題を解決するための手段】
【０００８】
上記目的を達成するために、本発明の一態様に係るフロントエンド回路は、少なくとも第１通信バンドの高周波信号および第２通信バンドの高周波信号を同時に伝送することが可能なプライマリ回路と、前記プライマリ回路における前記第１通信バンドの高周波信号の受信に対応して前記第１通信バンドの高周波信号を受信し、前記プライマリ回路における前記第２通信バンドの高周波信号の受信に対応して前記第２通信バンドの高周波信号を受信するダイバーシティ回路と、を備え、前記プライマリ回路は、第１入出力端子、第１受信端子、第２受信端子および第２送信端子と、前記第１入出力端子と前記第１受信端子とを結ぶ経路であって、前記第１通信バンドの高周波信号を伝送する第１伝送経路と、前記第１入出力端子と前記第２受信端子および前記第２送信端子とを結ぶ経路であって、前記第２通信バンドの高周波信号を伝送する第２伝送経路と、を有し、前記第２伝送経路では、前記第１入出力端子から前記第２受信端子に向けて流れる前記第２通信バンドの高周波信号の受信と、前記第２送信端子から前記第１入出力端子に向けて流れる前記第２通信バンドの高周波信号の送信とが時分割複信方式で実行され、前記ダイバーシティ回路は、第１入力端子、第３受信端子および第４受信端子と、第１選択端子、第２選択端子、および前記第１入力端子に接続された第１共通端子を有し、前記第１共通端子と前記第１選択端子との導通および非導通、ならびに、前記第１共通端子と前記第２選択端子との導通および非導通を切り替える第１スイッチと、前記第１選択端子および前記第３受信端子に接続され、前記第１入力端子から前記第１選択端子を経由して前記第３受信端子に向けて前記第１通信バンドの高周波信号を受信する第１受信経路と、前記第２選択端子および前記第４受信端子に接続され、前記第１入力端子から前記第２選択端子を経由して前記第４受信端子に向けて前記第２通信バンドの高周波信号を受信する第２受信経路と、を有し、前記第１スイッチは、前記プライマリ回路において前記第１伝送経路における前記第１通信バンドの高周波信号の受信と前記第２伝送経路における前記第２通信バンドの高周波信号の受信とが同時に実行されている場合、前記第１共通端子と前記第１選択端子とを導通状態とし、かつ、前記第１共通端子と前記第２選択端子とを導通状態とし、前記プライマリ回路において前記第１伝送経路における前記第１通信バンドの高周波信号の受信と前記第２伝送経路における前記第２通信バンドの高周波信号の送信とが同時に実行されている場合、前記第１共通端子と前記第１選択端子とを導通状態とし、かつ、前記第１共通端子と前記第２選択端子とを導通状態とする。
【発明の効果】
【０００９】
本発明によれば、複数の通信バンドの高周波信号を同時に伝送することが可能なシステムにおいて、受信信号を高精度に受信することが可能なフロントエンド回路、ダイバーシティ回路および通信装置を提供することが可能となる。
【図面の簡単な説明】
【００１０】
【図１】実施の形態に係るフロントエンド回路および通信装置の回路構成図である。
【図２Ａ】実施の形態に係るフロントエンド回路の第１のキャリアアグリゲーション（ＣＡ）状態における回路状態図である。
【図２Ｂ】実施の形態に係るフロントエンド回路の第２のＣＡ状態における回路状態図である。
【図３Ａ】比較例に係るフロントエンド回路の第１のＣＡ状態における回路状態図である。
【図３Ｂ】比較例に係るフロントエンド回路の第２のＣＡ状態における回路状態図である。
【発明を実施するための形態】
【００１１】
以下、本発明の実施の形態について、実施例および図面を用いて詳細に説明する。なお、下で説明する実施の形態は、いずれも包括的または具体的な例を示すものである。以下の実施の形態で示される数値、形状、材料、構成要素、構成要素の配置および接続形態などは、一例であり、本発明を限定する主旨ではない。以下の実施の形態における構成要素のうち、独立請求項に記載されていない構成要素については、任意の構成要素として説明される。また、図面に示される構成要素の大きさまたは大きさの比は、必ずしも厳密ではない。
【００１２】
（実施の形態）
［１．フロントエンド回路１および通信装置５の構成］
図１は、実施の形態に係るフロントエンド回路１および通信装置５の回路構成図である。同図に示すように、通信装置５は、フロントエンド回路１と、プライマリアンテナ２Ｐおよびダイバーシティアンテナ２Ｄと、ＲＦ信号処理回路（ＲＦＩＣ）３と、ベースバンド信号処理回路（ＢＢＩＣ）４と、を備える。
【００１３】
ＲＦＩＣ３は、プライマリアンテナ２Ｐおよびダイバーシティアンテナ２Ｄで送受信される高周波信号を処理するＲＦ信号処理回路である。具体的には、ＲＦＩＣ３は、フロントエンド回路１を介して入力された高周波受信信号を、ダウンコンバートなどにより信号処理し、当該信号処理して生成された受信信号をＢＢＩＣ４へ出力する。また、ＲＦＩＣ３は、ＢＢＩＣ４から入力された送信信号をアップコンバートなどにより信号処理し、当該信号処理して生成された高周波送信信号を、フロントエンド回路１に出力する。
【００１４】
ＢＢＩＣ４は、フロントエンド回路１を伝送する高周波信号よりも低周波の中間周波数帯域を用いて信号処理する回路である。ＢＢＩＣ４で処理された信号は、例えば、画像表示のための画像信号として使用され、または、スピーカを介した通話のために音声信号として使用される。
【００１５】
また、ＲＦＩＣ３は、使用される通信バンドの選択、ならびに、送信モードおよび受信モードの選択に基づいて、フロントエンド回路１が有するスイッチ１０、１３および２０の接続切り替え、ならびに、電力増幅器３１、３２、低雑音増幅器４１、４２、４３および４４の増幅動作および停止を制御する制御部としての機能も有する。なお、制御部は、ＲＦＩＣ３の外部に設けられていてもよく、例えば、フロントエンド回路１またはＢＢＩＣ４に設けられていてもよい。
【００１６】
次に、フロントエンド回路１の詳細な構成について説明する。
【００１７】
図１に示すように、フロントエンド回路１は、プライマリ回路１Ｐと、ダイバーシティ回路１Ｄと、を備える。
【００１８】
プライマリ回路１Ｐは、少なくともバンドＡ（第１通信バンド）の高周波信号およびバンドＢ（第２通信バンド）の高周波信号を同時に伝送することが可能な構成を有している。
【００１９】
ダイバーシティ回路１Ｄは、プライマリ回路１ＰにおけるバンドＡの高周波信号の受信に対応してバンドＡの高周波信号を受信し、プライマリ回路１ＰにおけるバンドＢの高周波信号の受信に対応してバンドＢの高周波信号を受信する。ダイバーシティ回路１Ｄがプライマリ回路１Ｐで受信した高周波信号と同じ高周波信号を受信することで、プライマリアンテナ２Ｐおよびダイバーシティアンテナ２Ｄで受信した上記高周波信号のうち、電波状況の優れたアンテナの高周波信号を通信装置５で優先的に用いたり、２つのプライマリアンテナ２Ｐおよびダイバーシティアンテナ２Ｄで受信した高周波信号を合成してノイズを除去したりすることが可能となる。つまり、ダイバーシティ回路１Ｄは、通信装置５における通信品質および通信信頼性を向上させるための回路である。
【００２０】
以下、プライマリ回路１Ｐおよびダイバーシティ回路１Ｄの詳細構成について説明する。
【００２１】
プライマリ回路１Ｐは、送受信端子１１０と、送信端子１３１および１３２と、受信端子１４１および１４２と、伝送経路５１および５２と、スイッチ１０および１３と、デュプレクサ１１と、送受信フィルタ１２と、電力増幅器３１および３２と、低雑音増幅器４１および４２と、を備える。
【００２２】
送受信端子１１０は、第１入出力端子の一例であり、送信端子１３２は第２送信端子の一例であり、受信端子１４１は第１受信端子の一例であり、受信端子１４２は第２受信端子の一例である。
【００２３】
伝送経路５１は、第１伝送経路の一例であり、送受信端子１１０と送信端子１３１とを結ぶ送信経路５１Ｔ、および、送受信端子１１０と受信端子１４１とを結ぶ受信経路５１Ｒを含み、バンドＡの高周波信号を伝送する。
【００２４】
伝送経路５２は、第２伝送経路の一例であり、送受信端子１１０と送信端子１３２とを結ぶ送信経路５２Ｔ、および、送受信端子１１０と受信端子１４２とを結ぶ受信経路５２Ｒを含み、バンドＢの高周波信号を伝送する。
【００２５】
スイッチ１０は、第２スイッチの一例であり、共通端子１０ａ、選択端子１０ｂおよび１０ｃを有し、共通端子１０ａと選択端子１０ｂとの導通および非導通、ならびに、共通端子１０ａと選択端子１０ｃとの導通および非導通を切り替える。共通端子１０ａは第２共通端子の一例であり、選択端子１０ｂは第３選択端子の一例であり、選択端子１０ｃは第４選択端子の一例である。共通端子１０ａは送受信端子１１０に接続され、選択端子１０ｂは伝送経路５１の一端に接続され、選択端子１０ｃは伝送経路５２の一端に接続されている。スイッチ１０は、プライマリアンテナ２Ｐに接続され、プライマリ回路１Ｐで伝送すべき通信バンドを選択するためのアンテナスイッチである。
【００２６】
スイッチ１３は、第３スイッチの一例であり、共通端子１３ａ、選択端子１３ｂおよび１３ｃを有し、共通端子１３ａと選択端子１３ｂとの導通、および、共通端子１３ａと選択端子１３ｃとの導通を排他的に切り替える。共通端子１３ａは第３共通端子の一例であり、選択端子１３ｂは第５選択端子の一例であり、選択端子１３ｃは第６選択端子の一例である。スイッチ１３は、バンドＢの送信モードおよび受信モードを切り替えるための時分割複信（ＴＤＤ：Ｔｉｍｅ  Ｄｉｖｉｓｉｏｎ  Ｄｕｐｌｅｘ）用スイッチである。
【００２７】
デュプレクサ１１は、バンドＡの送信帯域を通過帯域とする送信フィルタ１１Ｔと、バンドＡの受信帯域を通過帯域とする受信フィルタ１１Ｒとで構成されている。送信フィルタ１１Ｔは第３送信フィルタの一例であり、受信フィルタ１１Ｒは第３受信フィルタの一例である。送信フィルタ１１Ｔの出力端と受信フィルタ１１Ｒの入力端とは、選択端子１０ｂに接続されている。
【００２８】
送受信フィルタ１２は、第１送受信フィルタの一例であり、バンドＢを通過帯域とする。送受信フィルタ１２は、選択端子１０ｃと共通端子１３ａとの間に接続されている。
【００２９】
電力増幅器３１は、バンドＡの高周波信号を増幅し、送信端子１３１と送信フィルタ１１Ｔとの間に接続されている。
【００３０】
電力増幅器３２は、バンドＢの高周波信号を増幅する第３電力増幅器の一例であり、送信端子１３２と選択端子１３ｂとの間に接続されている。
【００３１】
低雑音増幅器４１は、バンドＡの高周波信号を増幅する第４低雑音増幅器の一例であり、受信端子１４１と受信フィルタ１１Ｒの出力端との間に接続されている。
【００３２】
低雑音増幅器４２は、バンドＢの高周波信号を増幅する第３低雑音増幅器の一例であり、受信端子１４２と選択端子１３ｃとの間に接続されている。
【００３３】
伝送経路５１に配置されたデュプレクサ１１により、伝送経路５１では、送受信端子１１０から受信端子１４１に向けて流れるバンドＡの高周波信号の受信と、送信端子１３１から送受信端子１１０に向けて流れるバンドＡの高周波信号の送信とが、周波数分割複信（ＦＤＤ：Ｆｒｅｑｕｅｎｃｙ  Ｄｉｖｉｓｉｏｎ  Ｄｕｐｌｅｘ）方式で実行される。
【００３４】
また、伝送経路５２に配置されたスイッチ１３および送受信フィルタ１２により、伝送経路５２では、送受信端子１１０から受信端子１４２に向けて流れるバンドＢの高周波信号の受信と、送信端子１３２から送受信端子１１０に向けて流れるバンドＢの高周波信号の送信とが、ＴＤＤ方式で実行される。
【００３５】
なお、伝送経路５１は、ＴＤＤ方式でバンドＡの高周波信号を伝送してもよい。この場合には、デュプレクサ１１に代わってスイッチおよび送受信フィルタが配置されてもよい。
【００３６】
ダイバーシティ回路１Ｄは、受信端子１２０と、受信端子１４３および１４４と、受信経路５３および５４と、スイッチ２０と、受信フィルタ２１および２２と、低雑音増幅器４３および４４と、を備える。
【００３７】
受信端子１２０は第１入力端子の一例であり、受信端子１４３は第３受信端子の一例であり、受信端子１４４は第４受信端子の一例である。
【００３８】
スイッチ２０は、第１スイッチの一例であり、共通端子２０ａ、選択端子２０ｂおよび２０ｃを有し、共通端子２０ａと選択端子２０ｂとの導通および非導通、ならびに、共通端子２０ａと選択端子２０ｃとの導通および非導通を切り替える。共通端子２０ａは第１共通端子の一例であり、選択端子２０ｂは第１選択端子の一例であり、選択端子２０ｃは第２選択端子の一例である。共通端子２０ａは受信端子１２０に接続されている。スイッチ２０は、ダイバーシティアンテナ２Ｄに接続され、ダイバーシティ回路１Ｄで伝送すべき通信バンドを選択するためのアンテナスイッチである。
【００３９】
受信経路５３は、第１受信経路の一例であり、選択端子２０ｂおよび受信端子１４３に接続され、受信端子１２０から選択端子２０ｂを経由して受信端子１４３に向けてバンドＡの高周波信号を伝送（受信）する。
【００４０】
受信経路５４は、第２受信経路の一例であり、選択端子２０ｃおよび受信端子１４４に接続され、受信端子１２０から選択端子２０ｃを経由して受信端子１４４に向けてバンドＢの高周波信号を伝送（受信）する。
【００４１】
受信フィルタ２１は、第１受信フィルタの一例であり、バンドＡを通過帯域とし、選択端子２０ｂと低雑音増幅器４３の入力端との間に接続されている。
【００４２】
受信フィルタ２２は、第２受信フィルタの一例であり、バンドＢを通過帯域とし、選択端子２０ｃと低雑音増幅器４４の入力端との間に接続されている。
【００４３】
低雑音増幅器４３は、第１低雑音増幅器の一例であり、受信経路５３上に配置され、受信端子１２０から入力されたバンドＡの高周波信号を増幅して受信端子１４３へ出力する。
【００４４】
低雑音増幅器４４は、第２低雑音増幅器の一例であり、受信経路５４上に配置され、受信端子１２０から入力されたバンドＢの高周波信号を増幅して受信端子１４４へ出力する。
【００４５】
なお、本実施の形態に係るフロントエンド回路１では、プライマリ回路１Ｐが２つの伝送経路５１および５２を有する構成を示したが、プライマリ回路１Ｐは、さらに、バンドＡおよびバンドＢ以外の通信バンドの高周波信号を伝送する伝送経路を有してもよい。プライマリ回路１Ｐは、例えば、バンドＣの高周波信号を伝送する伝送経路がスイッチ１０の選択端子に接続されていてもよく、プライマリ回路１Ｐが有する伝送経路の数は３以上であってもよい。また、バンドＣの高周波信号を伝送する伝送経路は、ＴＤＤ方式およびＦＤＤ方式のいずれが適用されてもよい。この場合、フロントエンド回路１は、３以上のバンドのうちの２以上のバンドの高周波信号を同時に伝送することが可能である。
【００４６】
これに対応して、ダイバーシティ回路１Ｄは、プライマリ回路１Ｐにて伝送可能な上記３以上のバンドに対応した受信経路を有していてもよい。つまり、ダイバーシティ回路１Ｄは、上記３以上のバンドに対応した３つの受信経路が、それぞれ、スイッチ２０の各選択端子に接続された構成を有する。この場合、スイッチ２０の接続切り替えは、プライマリ回路１ＰにおいてＣＡを実行するバンドの組み合わせに依存する。つまり、スイッチ２０の接続切り替えは、スイッチ１０の接続切り替えに依存する。
【００４７】
なお、本実施の形態に係るフロントエンド回路１および通信装置５は、３ＧＰＰ（Ｔｈｉｒｄ  Ｇｅｎｅｒａｔｉｏｎ  Ｐａｒｔｎｅｒｓｈｉｐ  Ｐｒｏｊｅｃｔ）などの通信システムに適用され、典型的には、４Ｇ−ＬＴＥ（Ｌｏｎｇ  Ｔｅｒｍ  Ｅｖｏｌｕｔｉｏｎ）および５Ｇ−ＮＲ（Ｎｅｗ  Ｒａｄｉｏ）の高周波信号を伝送するシステムに適用される。例えば、バンドＡとして４Ｇ−ＬＴＥのバンド１（送信帯域：１９２０−１９８０ＭＨｚ、受信帯域：２１１０−２１７０ＭＨｚ）が適用され、バンドＢとして４Ｇ−ＬＴＥのバンド４０（帯域：２３００−２４００ＭＨｚ）が適用される。
【００４８】
［２．ＣＡに応じたフロントエンド回路の接続状態］
図２Ａは、実施の形態に係るフロントエンド回路１の第１のキャリアアグリゲーション（以下、ＣＡと記す）状態における回路状態図である。また、図２Ｂは、実施の形態に係るフロントエンド回路１の第２のＣＡ状態における回路状態図である。
【００４９】
図２Ａに示された第１のＣＡ状態とは、プライマリ回路１Ｐにおいて、伝送経路５１におけるバンドＡの高周波信号の受信と伝送経路５２におけるバンドＢの高周波信号の送信とが同時に実行されている状態である。なお、伝送経路５１にはＦＤＤ方式が適用されているため、第１のＣＡ状態では、伝送経路５１におけるバンドＡの高周波信号の送信も同時に実行されている。
【００５０】
また、図２Ｂに示された第２のＣＡ状態とは、プライマリ回路１Ｐにおいて、伝送経路５１におけるバンドＡの高周波信号の受信と伝送経路５２におけるバンドＢの高周波信号の受信とが同時に実行されている状態である。なお、伝送経路５１にはＦＤＤ方式が適用されているため、第２のＣＡ状態では、伝送経路５１におけるバンドＡの高周波信号の送信も同時に実行されている。
【００５１】
図２Ａに示すように、第１のＣＡ状態では、プライマリ回路１Ｐにおいて、スイッチ１０の共通端子１０ａと選択端子１０ｂとが導通状態となり、かつ、共通端子１０ａと選択端子１０ｃとが導通状態となっている。また、スイッチ１３の共通端子１３ａと選択端子１３ｂとが導通状態となっており、かつ、共通端子１３ａと選択端子１３ｃとが非導通状態となっている。一方、ダイバーシティ回路１Ｄにおいて、スイッチ２０の共通端子２０ａと選択端子２０ｂとが導通状態となり、かつ、共通端子２０ａと選択端子２０ｃとが導通状態となっている。
【００５２】
図２Ｂに示すように、第２のＣＡ状態では、プライマリ回路１Ｐにおいて、スイッチ１０の共通端子１０ａと選択端子１０ｂとが導通状態となり、かつ、共通端子１０ａと選択端子１０ｃとが導通状態となっている。また、スイッチ１３の共通端子１３ａと選択端子１３ｂとが非導通状態となっており、かつ、共通端子１３ａと選択端子１３ｃとが導通状態となっている。一方、ダイバーシティ回路１Ｄにおいて、スイッチ２０の共通端子２０ａと選択端子２０ｂとが導通状態となり、かつ、共通端子２０ａと選択端子２０ｃとが導通状態となっている。
【００５３】
つまり、本実施の形態に係るフロントエンド回路１では、プライマリ回路１ＰにおいてバンドＡの高周波信号を受信し、かつ、バンドＢの高周波信号を受信しているとき（図２Ｂの状態）、ダイバーシティ回路１Ｄにおいて、バンドＡの受信経路５３とバンドＢの受信経路５４の双方が受信端子１２０に接続されている。さらに、プライマリ回路１ＰにおいてバンドＡの高周波信号を受信し、かつ、バンドＢの高周波信号を受信していないとき（図２Ａの状態）であっても、ダイバーシティ回路１Ｄにおいて、バンドＡの受信経路５３とバンドＢの受信経路５４の双方が受信端子１２０に接続されている。
【００５４】
本実施の形態に係るフロントエンド回路１におけるダイバーシティ回路１Ｄの特徴的な上記のスイッチ接続構成と比較して、以下では、従来想定される比較例に係るフロントエンド回路５００のスイッチ接続構成を示す。
【００５５】
図３Ａは、比較例に係るフロントエンド回路５００の第１のＣＡ状態における回路状態図である。また、図３Ｂは、比較例に係るフロントエンド回路５００の第２のＣＡ状態における回路状態図である。
【００５６】
図３Ａに示された第１のＣＡ状態は、図２Ａに示された第１のＣＡ状態と同じ状態であり、図３Ｂに示された第２のＣＡ状態は、図３Ａに示された第２のＣＡ状態と同じ状態である。
【００５７】
比較例に係るフロントエンド回路５００は、プライマリ回路１Ｐと、ダイバーシティ回路５００Ｄと、を備える。比較例に係るフロントエンド回路５００は、実施の形態に係るフロントエンド回路１と比較して、プライマリ回路１Ｐの構成は同じであるが、ダイバーシティ回路５００Ｄの構成が異なる。以下、比較例に係るフロントエンド回路５００について、実施の形態に係るフロントエンド回路１と異なる点を中心に説明する。
【００５８】
ダイバーシティ回路５００Ｄは、受信端子１２０と、受信端子１４３および１４４と、受信経路５３および５４と、スイッチ５２０と、受信フィルタ２１および２２と、低雑音増幅器４３および４４と、を備える。
【００５９】
スイッチ５２０は、共通端子５２０ａ、選択端子５２０ｂおよび５２０ｃを有し、共通端子５２０ａと選択端子５２０ｂとの導通および非導通、ならびに、共通端子５２０ａと選択端子５２０ｃとの導通および非導通を切り替える。
【００６０】
受信経路５３は、選択端子５２０ｂおよび受信端子１４３に接続され、受信端子１２０から選択端子５２０ｂを経由して受信端子１４３に向けてバンドＡの高周波信号を伝送（受信）する。受信経路５４は、選択端子５２０ｃおよび受信端子１４４に接続され、受信端子１２０から選択端子５２０ｃを経由して受信端子１４４に向けてバンドＢの高周波信号を伝送（受信）する。
【００６１】
受信フィルタ２１は、バンドＡを通過帯域とし、選択端子５２０ｂと低雑音増幅器４３の入力端との間に接続されている。受信フィルタ２２は、バンドＢを通過帯域とし、選択端子５２０ｃと低雑音増幅器４４の入力端との間に接続されている。
【００６２】
図３Ａに示すように、第１のＣＡ状態では、プライマリ回路１Ｐにおいて、スイッチ１０の共通端子１０ａと選択端子１０ｂとが導通状態となり、かつ、共通端子１０ａと選択端子１０ｃとが導通状態となっている。また、スイッチ１３の共通端子１３ａと選択端子１３ｂとが導通状態となっており、かつ、共通端子１３ａと選択端子１３ｃとが非導通状態となっている。一方、ダイバーシティ回路５００Ｄにおいて、スイッチ５２０の共通端子５２０ａと選択端子５２０ｂとが導通状態となり、かつ、共通端子５２０ａと選択端子５２０ｃとが非導通状態となっている。
【００６３】
図３Ｂに示すように、第２のＣＡ状態では、プライマリ回路１Ｐにおいて、スイッチ１０の共通端子１０ａと選択端子１０ｂとが導通状態となり、かつ、共通端子１０ａと選択端子１０ｃとが導通状態となっている。また、スイッチ１３の共通端子１３ａと選択端子１３ｂとが非導通状態となっており、かつ、共通端子１３ａと選択端子１３ｃとが導通状態となっている。一方、ダイバーシティ回路５００Ｄにおいて、スイッチ５２０の共通端子５２０ａと選択端子５２０ｂとが導通状態となり、かつ、共通端子５２０ａと選択端子５２０ｃとが導通状態となっている。
【００６４】
つまり、比較例に係るフロントエンド回路５００では、プライマリ回路１ＰにおいてバンドＡの高周波信号を受信し、かつ、バンドＢの高周波信号を受信しているとき（図３Ｂの状態）、ダイバーシティ回路５００Ｄにおいて、バンドＡの受信経路５３とバンドＢの受信経路５４の双方が受信端子１２０に接続されている。これに対して、プライマリ回路１ＰにおいてバンドＡの高周波信号を受信し、かつ、バンドＢの高周波信号を受信していないとき（図３Ａの状態）、ダイバーシティ回路５００Ｄにおいて、バンドＡの受信経路５３は受信端子１２０に接続されているが、バンドＢの受信経路５４は受信端子１２０に接続されていない。
【００６５】
比較例に係るフロントエンド回路５００では、プライマリ回路１ＰにおけるバンドＢの高周波信号の送信モードおよび受信モードの切り替えに対応させて、ダイバーシティ回路５００Ｄが有するスイッチ５２０の接続状態も変化する。これにより、ＦＤＤ方式により時分割されずに常に伝送経路５１を受信端子１２０から受信端子１４３へ向けて通過するバンドＡの高周波信号は、バンドＢの高周波信号の送信モードおよび受信モードの切り替えに対応したスイッチ５２０の接続状態の変化の度に位相変化してしまう。ダイバーシティ回路５００ＤにおけるバンドＡの高周波信号が位相変化すると、ＲＦＩＣ３およびＢＢＩＣ４で検出すべきデジタル信号の信号品質の１つであるエラーベクトル振幅（Ｅｒｒｏｒ  Ｖｅｃｔｏｒ  Ｍａｇｎｉｔｕｄｅ：以下、ＥＶＭと記す）が劣化してしまう。この結果、例えば、デジタル信号の識別精度を表すコンスタレーションが劣化してしまい、通信装置５が、バンドＡの高周波信号に含まれているデータ情報を正確に取得（受信）できない状態に陥り得る。
【００６６】
これに対して、本実施の形態に係るフロントエンド回路１では、プライマリ回路１ＰにおけるバンドＢの高周波信号の送信モードおよび受信モードの切り替えによらず、ダイバーシティ回路１Ｄが有するスイッチ２０の接続状態を一定としている。これにより、ＦＤＤ方式により時分割されずに常に受信経路５３を受信端子１２０から受信端子１４３へ向けて通過するバンドＡの高周波信号は、バンドＢの高周波信号の送信モードおよび受信モードの切り替えにより位相変化しない。これにより、ＥＶＭは劣化せず、コンスタレーションも劣化しないので、バンドＡの高周波信号に含まれているデータ情報を正確に取得（受信）できる。
【００６７】
つまり、本実施の形態に係るフロントエンド回路１によれば、複数の通信バンドの高周波信号を同時に伝送することが可能なプライマリ回路およびダイバーシティ回路を有するシステムにおいて、受信信号を高精度に受信することが可能となる。
【００６８】
なお、図２Ｂに示すように、プライマリ回路１Ｐの伝送経路５１におけるバンドＡの高周波信号の受信と伝送経路５２におけるバンドＢの高周波信号の受信とが同時に実行されている場合、ダイバーシティ回路１Ｄの低雑音増幅器４３および４４は、増幅動作状態である。一方、図２Ａに示すように、プライマリ回路１Ｐの伝送経路５１におけるバンドＡの高周波信号の受信と伝送経路５２におけるバンドＢの高周波信号の送信とが同時に実行されている場合、ダイバーシティ回路１Ｄの低雑音増幅器４３を増幅動作状態とし、低雑音増幅器４４を増幅停止状態としてもよい。
【００６９】
プライマリ回路１Ｐの伝送経路５２においてバンドＢの高周波信号の送信が実行されている場合にはダイバーシティ回路１Ｄの低雑音増幅器４４の増幅動作は不要である。よって、伝送経路５２においてバンドＢの高周波信号の送信が実行されている場合において、低雑音増幅器４４の消費電流を低減でき、フロントエンド回路１の低消費電力化を促進できる。
【００７０】
つまり、低雑音増幅器４４の増幅動作状態および増幅停止状態の切り替えは、プライマリ回路１ＰにおけるバンドＢの高周波信号の送信モードおよび受信モードの切り替えに依存するが、スイッチ２０の接続切り替えには依存しない。
【００７１】
これに対して、スイッチ２０の接続切り替えは、プライマリ回路１ＰにおけるＴＤＤ方式の伝送経路の送信モードおよび受信モードの切り替えには依存せず、プライマリ回路１ＰにおいてＣＡを実行するバンドの組み合わせに依存する。
【００７２】
［３．効果等］
以上のように、本実施の形態によれば、フロントエンド回路１は、少なくともバンドＡの高周波信号およびバンドＢの高周波信号を同時に伝送することが可能なプライマリ回路１Ｐと、プライマリ回路１ＰにおけるバンドＡの高周波信号の受信に対応してバンドＡの高周波信号を受信し、プライマリ回路１ＰにおけるバンドＢの高周波信号の受信に対応してバンドＢの高周波信号を受信するダイバーシティ回路１Ｄと、を備える。プライマリ回路１Ｐは、送受信端子１１０、受信端子１４１、１４２および送信端子１３２と、送受信端子１１０と受信端子１４１とを結ぶ経路であってバンドＡの高周波信号を伝送する伝送経路５１と、送受信端子１１０と受信端子１４２および送信端子１３２とを結ぶ経路であってバンドＢの高周波信号を伝送する伝送経路５２と、を有する。伝送経路５２では、送受信端子１１０から受信端子１４２に向けて流れるバンドＢの高周波信号の受信と、送信端子１３２から送受信端子１１０に向けて流れるバンドＢの高周波信号の送信とがＴＤＤ方式で実行される。ダイバーシティ回路１Ｄは、受信端子１２０、１４３および１４４と、選択端子２０ｂ、２０ｃ、および受信端子１２０に接続された共通端子２０ａを有し、共通端子２０ａと選択端子２０ｂとの導通および非導通、ならびに、共通端子２０ａと選択端子２０ｃとの導通および非導通を切り替えるスイッチ２０と、選択端子２０ｂおよび受信端子１４３に接続され、受信端子１２０から選択端子２０ｂを経由して受信端子１４３に向けてバンドＡの高周波信号を受信する受信経路５３と、選択端子２０ｃおよび受信端子１４４に接続され、受信端子１２０から選択端子２０ｃを経由して受信端子１４４に向けてバンドＢの高周波信号を受信する受信経路５４と、を有する。スイッチ２０は、プライマリ回路１Ｐにおいて伝送経路５１におけるバンドＡの高周波信号の受信と伝送経路５２におけるバンドＢの高周波信号の受信とが同時に実行されている場合、共通端子２０ａと選択端子２０ｂとを導通状態とし、かつ、共通端子２０ａと選択端子２０ｃとを導通状態とする。また、スイッチ２０は、プライマリ回路１Ｐにおいて伝送経路５１におけるバンドＡの高周波信号の受信と伝送経路５２におけるバンドＢの高周波信号の送信とが同時に実行されている場合、共通端子２０ａと選択端子２０ｂとを導通状態とし、かつ、共通端子２０ａと選択端子２０ｃとを導通状態とする。
【００７３】
これにより、受信経路５３を受信端子１２０から受信端子１４３へ向けて通過するバンドＡの高周波信号は、バンドＢの高周波信号の送信モードおよび受信モードの切り替えにより位相変化しない。これにより、ＥＶＭは劣化せず、コンスタレーションも劣化しないので、バンドＡの高周波信号に含まれているデータ情報を正確に取得できる。つまり、複数の通信バンドの高周波信号を同時に伝送することが可能なプライマリ回路１Ｐおよびダイバーシティ回路１Ｄを有するシステムにおいて、受信信号を高精度に受信することが可能となる。
【００７４】
また、本実施の形態によれば、ダイバーシティ回路１Ｄは、さらに、受信経路５３上に配置され、受信端子１２０から入力されたバンドＡの高周波信号を増幅して受信端子１４３へ出力する低雑音増幅器４３と、受信経路５４上に配置され、受信端子１２０から入力されたバンドＢの高周波信号を増幅して受信端子１４４へ出力する低雑音増幅器４４と、を有し、プライマリ回路１Ｐにおいて伝送経路５１におけるバンドＡの高周波信号の受信と伝送経路５２におけるバンドＢの高周波信号の受信とが同時に実行されている場合、低雑音増幅器４３および４４は増幅動作状態であり、プライマリ回路１Ｐにおいて伝送経路５１におけるバンドＡの高周波信号の受信と伝送経路５２におけるバンドＢの高周波信号の送信とが同時に実行されている場合、低雑音増幅器４３は増幅動作状態であり、低雑音増幅器４４は増幅停止状態としてもよい。
【００７５】
これにより、伝送経路５２においてバンドＢの高周波信号の送信が実行されている場合において、低雑音増幅器４４の消費電流を低減でき、フロントエンド回路１の低消費電力化を促進できる。
【００７６】
また、本実施の形態によれば、ダイバーシティ回路１Ｄは、さらに、選択端子２０ｂと低雑音増幅器４３の入力端との間に接続され、バンドＡを通過帯域とする受信フィルタ２１と、選択端子２０ｃと低雑音増幅器４４の入力端との間に接続され、バンドＢを通過帯域とする受信フィルタ２２と、を有してもよい。
【００７７】
これにより、ダイバーシティ回路１Ｄから、ノイズが低減された受信信号を出力することが可能となる。また、スイッチ２０から受信端子１４３側または１４４側を見たインピーダンスを、低雑音増幅器４３および４４の増幅動作状態および増幅停止状態の切り替えによらず一定とすることができる。
【００７８】
また、本実施の形態によれば、プライマリ回路１Ｐは、さらに、共通端子１０ａ、選択端子１０ｂおよび１０ｃを有し、共通端子１０ａと選択端子１０ｂとの導通および非導通、ならびに、共通端子１０ａと選択端子１０ｃとの導通および非導通を切り替えるスイッチ１０を有し、共通端子１０ａは送受信端子１１０に接続され、選択端子１０ｂは伝送経路５１の一端に接続され、選択端子１０ｃは伝送経路５２の一端に接続されていてもよい。
【００７９】
これにより、伝送経路５１と伝送経路５２とのアイソレーションを向上できるので、伝送経路５１におけるバンドＡの高周波信号の単独伝送、伝送経路５２におけるバンドＢの高周波信号の単独伝送、および、伝送経路５１および５２におけるバンドＡの高周波信号とバンドＢの高周波信号との同時伝送を、高精度に実行できる。
【００８０】
また、本実施の形態によれば、プライマリ回路１Ｐは、さらに、共通端子１３ａ、選択端子１３ｂおよび１３ｃを有し、共通端子１３ａと選択端子１３ｂとの導通、および、共通端子１３ａと選択端子１３ｃとの導通を排他的に切り替えるスイッチ１３と、選択端子１０ｃと共通端子１３ａとの間に接続され、バンドＢを通過帯域とする送受信フィルタ１２と、送信端子１３２と選択端子１３ｂとの間に接続され、バンドＢの高周波信号を増幅する電力増幅器３２と、選択端子１３ｃと受信端子１４２との間に接続され、バンドＢの高周波信号を増幅する低雑音増幅器４２と、を有していてもよい。
【００８１】
これによれば、簡素化された回路構成で、伝送経路５２をＴＤＤ方式に適用できる。
【００８２】
また、本実施の形態によれば、プライマリ回路１Ｐは、さらに、バンドＡの送信帯域を通過帯域とする送信フィルタ１１Ｔと、バンドＡの受信帯域を通過帯域とする受信フィルタ１１Ｒと、送信フィルタ１１Ｔの入力端に接続され、バンドＡの高周波信号を増幅する電力増幅器３１と、受信端子１４１と受信フィルタ１１Ｒの出力端との間に接続され、バンドＡの高周波信号を増幅する低雑音増幅器４１と、を有し、送信フィルタ１１Ｔの出力端と受信フィルタ１１Ｒの入力端とは選択端子１０ｂに接続されていてもよい。
【００８３】
これによれば、簡素化された回路構成で、伝送経路５１をＦＤＤ方式に適用できる。
【００８４】
また、本実施の形態によれば、バンドＡはＬＴＥのバンド１であり、バンドＢはＬＴＥのバンド４０であってもよい。
【００８５】
これにより、４ＧＬＴＥのＦＤＤ方式に適用されるバンド１の高周波信号と、４ＧＬＴＥのＴＤＤ方式に適用されるバンド４０の高周波信号とのＣＡを実行できる。
【００８６】
なお、本発明は、プライマリ回路１Ｐとダイバーシティ回路１Ｄとを備えるフロントエンド回路に限定されず、ダイバーシティ回路１Ｄ単体であってもよい。すなわち、本発明に係るダイバーシティ回路１Ｄは、少なくともバンドＡの高周波信号およびバンドＢの高周波信号を伝送することが可能なプライマリ回路１ＰにおけるバンドＡの高周波信号の受信に対応してバンドＡの高周波信号を受信し、プライマリ回路１ＰにおけるバンドＢの高周波信号の受信に対応してバンドＢの高周波信号を受信する。ダイバーシティ回路１Ｄは、受信端子１２０、１４３および１４４と、選択端子２０ｂ、２０ｃ、および受信端子１２０に接続された共通端子２０ａを有し、共通端子２０ａと選択端子２０ｂとの導通および非導通、ならびに、共通端子２０ａと選択端子２０ｃとの導通および非導通を切り替えるスイッチ２０と、選択端子２０ｂおよび受信端子１４３に接続され、受信端子１２０から選択端子２０ｂを経由して受信端子１４３に向けてバンドＡの高周波信号を受信する受信経路５３と、選択端子２０ｃおよび受信端子１４４に接続され、受信端子１２０から選択端子２０ｃを経由して受信端子１４４に向けてバンドＢの高周波信号を受信する受信経路５４と、を有し、スイッチ２０は、プライマリ回路１ＰにおいてバンドＡの高周波信号の受信とバンドＢの高周波信号の受信とが同時に実行されている場合、共通端子２０ａと選択端子２０ｂとを導通状態とし、かつ、共通端子２０ａと選択端子２０ｃとを導通状態とし、プライマリ回路１ＰにおいてバンドＡの高周波信号の受信とバンドＢの高周波信号の送信とが同時に実行されている場合、共通端子２０ａと選択端子２０ｂとを導通状態とし、かつ、共通端子２０ａと選択端子２０ｃとを導通状態とする。
【００８７】
これによれば、受信経路５３を受信端子１２０から受信端子１４３へ向けて通過するバンドＡの高周波信号は、バンドＢの高周波信号の送信モードおよび受信モードの切り替えにより位相変化しない。これにより、ＥＶＭは劣化せず、コンスタレーションも劣化しないので、バンドＡの高周波信号に含まれているデータ情報を正確に取得できる。つまり、ダイバーシティ回路１Ｄを有するシステムにおいて、受信信号を高精度に受信することが可能となる。
【００８８】
また、本実施の形態によれば、通信装置５は、アンテナ回路で送受信される高周波信号を処理するＲＦＩＣ３と、アンテナ回路とＲＦＩＣ３との間で高周波信号を伝送するフロントエンド回路１またはダイバーシティ回路１Ｄと、を備えることができる。
【００８９】
これにより、複数の通信バンドの高周波信号を同時に伝送することが可能なプライマリ回路１Ｐおよびダイバーシティ回路１Ｄを有するシステムにおいて、受信信号を高精度に受信する通信装置５を提供することができる。
【００９０】
また、本実施の形態によれば、通信装置５は、アンテナ回路で送受信される高周波信号を処理するＲＦＩＣ３と、アンテナ回路とＲＦＩＣ３との間で高周波信号を伝送するフロントエンド回路１と、を備え、上記アンテナ回路は、送受信端子１１０に接続されたプライマリアンテナ２Ｐと、受信端子１２０に接続されたダイバーシティアンテナ２Ｄと、を有することができる。
【００９１】
これにより、複数の通信バンドの高周波信号を同時に伝送することが可能なプライマリ回路１Ｐおよびダイバーシティ回路１Ｄを有するシステムにおいて、受信信号を高精度に受信する通信装置５を提供することができる。
【００９２】
さらに、本実施の形態に係る通信装置５は、さらに、スイッチ１０、１３および２０の接続切り替え動作、ならびに、低雑音増幅器４１〜４４および電力増幅器３１、３２の増幅動作および増幅停止の切り替え動作を制御する制御部を備えてもよい。
【００９３】
ここで、制御部は、スイッチ１０の共通端子１０ａと選択端子１０ｂとを接続し、共通端子１０ａと選択端子１０ｃとを接続し、スイッチ１３の共通端子１３ａと選択端子１３ｃとを接続し、スイッチ２０の共通端子２０ａと選択端子２０ｂとを接続し、共通端子２０ａと選択端子２０ｃとを接続する。また、制御部は、スイッチ１０の共通端子１０ａと選択端子１０ｂとを接続し、共通端子１０ａと選択端子１０ｃとを接続し、スイッチ１３の共通端子１３ａと選択端子１３ｂとを接続し、スイッチ２０の共通端子２０ａと選択端子２０ｂとを接続し、共通端子２０ａと選択端子２０ｃとを接続する。制御部の上記制御によれば、プライマリ回路１ＰにおけるバンドＢの高周波信号の送信モードおよび受信モードの切り替えによらず、ダイバーシティ回路１Ｄが有するスイッチ２０の接続状態が一定となる。これにより、ＦＤＤ方式により時分割されずに常に受信経路５３を受信端子１２０から受信端子１４３へ向けて通過するバンドＡの高周波信号は、バンドＢの高周波信号の送信モードおよび受信モードの切り替えにより位相変化しない。これにより、ＥＶＭは劣化せず、コンスタレーションも劣化しないので、通信装置５は、バンドＡの高周波信号に含まれているデータ情報を正確に取得できる。
【００９４】
また、制御部は、スイッチ１０の共通端子１０ａと選択端子１０ｂとを接続し、共通端子１０ａと選択端子１０ｃとを接続し、スイッチ１３の共通端子１３ａと選択端子１３ｃとを接続し、スイッチ２０の共通端子２０ａと選択端子２０ｂとを接続し、共通端子２０ａと選択端子２０ｃとを接続し、低雑音増幅器４４を増幅動作させる。また、制御部は、スイッチ１０の共通端子１０ａと選択端子１０ｂとを接続し、共通端子１０ａと選択端子１０ｃとを接続し、スイッチ１３の共通端子１３ａと選択端子１３ｂとを接続し、スイッチ２０の共通端子２０ａと選択端子２０ｂとを接続し、共通端子２０ａと選択端子２０ｃとを接続し、低雑音増幅器４４の増幅動作を停止させる。これにより、受信経路５４においてバンドＢの高周波信号の送信が実行されている場合において、低雑音増幅器４４の消費電流を低減でき、フロントエンド回路１の低消費電力化を促進できる。
【００９５】
（その他の実施の形態）
以上、実施の形態に係るフロントエンド回路および通信装置について説明したが、本発明のフロントエンド回路および通信装置は、上記実施の形態に限定されるものではない。上記実施の形態における任意の構成要素を組み合わせて実現される別の実施の形態や、上記実施の形態に対して本発明の主旨を逸脱しない範囲で当業者が思いつく各種変形を施して得られる変形例や、上記実施の形態に係るフロントエンド回路および通信装置を内蔵した各種機器も本発明に含まれる。
【００９６】
例えば、上記実施の形態に係るフロントエンド回路および通信装置において、図面に開示された各回路素子および信号経路を接続する経路の間に別の高周波回路素子および配線などが挿入されていてもよい。
【産業上の利用可能性】
【００９７】
本発明は、キャリアアグリゲーション方式を採用するマルチバンド／マルチモード対応のフロントエンド回路として、携帯電話などの通信機器に広く利用できる。
【符号の説明】
【００９８】
１、５００    フロントエンド回路
１Ｄ、５００Ｄ    ダイバーシティ回路
１Ｐ    プライマリ回路
２Ｄ    ダイバーシティアンテナ
２Ｐ    プライマリアンテナ
３    ＲＦ信号処理回路（ＲＦＩＣ）
４    ベースバンド信号処理回路（ＢＢＩＣ）
５    通信装置
１０、１３、２０、５２０    スイッチ
１０ａ、１３ａ、２０ａ、５２０ａ    共通端子
１０ｂ、１０ｃ、１３ｂ、１３ｃ、２０ｂ、２０ｃ、５２０ｂ、５２０ｃ    選択端子
１１    デュプレクサ
１１Ｒ、２１、２２    受信フィルタ
１１Ｔ    送信フィルタ
１２    送受信フィルタ
３１、３２    電力増幅器
４１、４２、４３、４４    低雑音増幅器
５１、５２    伝送経路
５１Ｒ、５２Ｒ、５３、５４    受信経路
５１Ｔ、５２Ｔ    送信経路
１１０    送受信端子
１２０、１４１、１４２、１４３、１４４    受信端子
１３１、１３２    送信端子
【図１】
2020188337.tif 000003
【図２Ａ】
2020188337.tif 000004
【図２Ｂ】
2020188337.tif 000005
【図３Ａ】
2020188337.tif 000006
【図３Ｂ】
2020188337.tif 000007